(57)【特許請求の範囲】
【請求項１】
上面に複数本の瓶容器を首部を上にして載置可能なベースを備え、ベースの上面には第１の瓶容器を結束位置に位置決めする第１のガイド部材と、第２の瓶容器の胴部を第１の瓶容器の胴部に向けて引き寄せる引き寄せ手段とが設けられ、
引き寄せ手段は、ベースの上面に載置された第１の瓶容器の首部と第２の瓶容器の首部に第１の紐部材がループ状にセットされた状態で、同第１の紐部材の外方への引張力に抗して、第１の瓶容器の胴部に向けて第２の瓶容器の胴部を第２のガイド部材により引き寄せ可能であり、かかる引き寄せ状態で、第１の瓶容器の胴部と第２の瓶容器の胴部の周囲に第２の紐部材がセット可能とされていることを特徴とする瓶容器の結束装置。
【請求項２】
引き寄せ手段が、作動レバーと、この作動レバーの操作によって、第２のガイド部材を第１のガイド部材に向けて可動させる可動部材を備えることを特徴とする、請求項１記載の瓶容器の結束装置。
【請求項３】
作動レバーと可動部材との間に連結手段が設けられ、作動レバーのベースに対する回動軸の近傍に連結手段の一端がピン結合されていることを特徴とする、請求項２記載の瓶容器の結束装置。
【請求項４】
連結手段が作動レバー側の第１の連結部材と可動部材側の第２の連結部材とから構成され、第１の連結部材と第２の連結部材との間に、可動部材の引き寄せ動作時に、圧縮力を受けて縮小可能な弾発部材が介在されていることを特徴とする、請求項３記載の瓶容器の結束装置。
【請求項５】
ベースの上面に第３の瓶容器を結束位置に位置決めする第３のガイド部材が設けられ、引き寄せ手段は、ベースの上面に載置された第１の瓶容器の首部と第２の瓶容器の首部と第３の瓶容器の首部に第１の紐部材がループ状にセットされた状態で、同第１の紐部材の外方への引張力に抗して、第１の瓶容器の胴部および第３の瓶容器の胴部に向けて第２の瓶容器の胴部を第２のガイド部材により引き寄せ可能であり、かかる引き寄せ状態で、第１の瓶容器の胴部と第２の瓶容器の胴部と第３の瓶容器の胴部の周囲に第２の紐部材をセットするように構成されていることを特徴とする、請求項１ないし請求項４のいずれか一項に記載の瓶容器の結束装置。
【発明の詳細な説明】
【技術分野】
【０００１】
本発明は、一升瓶などの複数本の瓶容器を紐で結束する装置に関し、特に簡単な操作で確実に結束作業が行える瓶容器の結束装置に関するものである。
【背景技術】
【０００２】
酒屋や量販店等においては、焼酎、清酒、醤油などの一升瓶を、贈答用あるいは祝い用として、また複数本をまとめて持ち運ぶのに便利なように、２本組あるいは３本組として紐で結束することが一般に行われている。ところがこの結束作業には熟練を要し、胴部から首部にかけて細くなる瓶の形状から複数本をきつく結束するのは難しく、また、ゆるく結束すると瓶ががたつき、携行時に瓶が抜けて落下し割れる恐れもある。このため、結束作業に熟練を要するのである。
【０００３】
従来より瓶容器の結束に関する提案が種々なされている。例えば、首部の結束を目的とした専用装置（特許文献１）や、それよりも簡易な連結具（特許文献２、特許文献３）などが提案されている。
【先行技術文献】
【特許文献】
【０００４】
【特許文献１】特開平７−３１５３２３号公報
【特許文献２】特開平７−２２３６７０号公報
【特許文献３】実登３０２７７８１号公報
【発明の概要】
【発明が解決しようとする課題】
【０００５】
しかしながら、特許文献１に提案された装置は構造が複雑で製作コストが高くつく課題がある。特許文献２、特許文献３に提案された連結具は簡易な構造であるが、首部のみを結束するものである。
【０００６】
本発明は上記課題に鑑みてなされたもので、簡易な構造をもち、簡単な操作で複数本の瓶容器の首部および胴部を確実に結束できる瓶容器の結束装置を提供することを目的とする。
【課題を解決するための手段】
【０００７】
上記課題を解決するために、本発明に係る瓶容器の結束装置は、
上面に複数本の瓶容器を首部を上にして載置可能なベースを備え、ベースの上面には第１の瓶容器を結束位置に位置決めする第１のガイド部材と、第２の瓶容器の胴部を第１の瓶容器の胴部に向けて引き寄せる引き寄せ手段とが設けられ、
引き寄せ手段は、ベースの上面に載置された第１の瓶容器の首部と第２の瓶容器の首部に第１の紐部材がループ状にセットされた状態で、同第１の紐部材の外方への引張力に抗して、第１の瓶容器の胴部に向けて第２の瓶容器の胴部を第２のガイド部材により引き寄せ可能であり、かかる引き寄せ状態で、第１の瓶容器の胴部と第２の瓶容器の胴部の周囲に第２の紐部材がセット可能とされていることを主要な特徴とする。
【０００８】
ここで瓶容器とは、首部と胴部をもち、胴部から首部にかけて細くなるような瓶形状をもつ容器を意味し、その材質は問わない。ガラス製や陶器製が代表的であるが、プラスチック製、例えばペットボトル容器もここでいう瓶容器に含まれる。
【０００９】
本発明に係る瓶容器の結束装置は、引き寄せ手段が、作動レバーと、この作動レバーの操作によって、前記第２のガイド部材を第１のガイド部材に向けて可動させる可動部材を備えることを第２の特徴とする。
【００１０】
本発明に係る瓶容器の結束装置は、作動レバーと可動部材との間に連結手段が設けられ、作動レバーのベースに対する回動軸の近傍に連結手段の一端がピン結合されていることを第３の特徴とする。
【００１１】
本発明に係る瓶容器の結束装置は、連結手段が作動レバー側の第１の連結部材と可動部材側の第２の連結部材とから構成され、第１の連結部材と第２の連結部材との間に、可動部材の引き寄せ動作時に、圧縮力を受けて縮小可能な弾発部材が介在されていることを第４の特徴とする。
【００１２】
本発明に係る瓶容器の結束装置は、ベースの上面に第３の瓶容器を結束位置に位置決めする第３のガイド部材が設けられ、引き寄せ手段は、ベースの上面に載置された第１の瓶容器の首部と第２の瓶容器の首部と第３の瓶容器の首部に第１の紐部材がループ状にセットされた状態で、同第１の紐部材の外方への引張力に抗して、第１の瓶容器の胴部および第３の瓶容器の胴部に向けて第２の瓶容器の胴部を第２のガイド部材により引き寄せ可能であり、かかる引き寄せ状態で、第１の瓶容器の胴部と第２の瓶容器の胴部と第３の瓶容器の胴部の周囲に第２の紐部材をセットするように構成されていることを第５の特徴とする。
【発明の効果】
【００１３】
以上説明したように、本発明に係る瓶容器の結束装置によると、熟練者によることなく、だれでも簡単な操作で複数本の瓶容器の首部および胴部を確実に精度良く結束できるという優れた効果を奏する。
【００１４】
また、本発明に係る瓶容器の結束装置によると、極めて簡素な構造で実現することができ、安価に製作できるという優れた効果を奏する。
【図面の簡単な説明】
【００１５】
【図１】本発明の一実施形態を示すもので、本発明の瓶容器の結束装置を示す全体斜視図、
【図２】図１に示す結束装置の平面図、
【図３】図１に示す結束装置の平面図で、第２のガイド部材を可動させた状態を示す説明図、
【図４】図１に示す結束装置のベース上面に３本の一升瓶をセットした状態を示す斜視図、
【図５】図１に示す結束装置の作用を示すもので、（Ａ）は複数本の一升瓶の首部に首部バンドをセットした状態を示す側面図、（Ｂ）は複数本の一升瓶の胴部下部を互いに引き寄せて上から胴部バンドをセットした状態を示す側面図、（Ｃ）はガイド部材を戻して、結束作業が完了した状態を示す側面図、
【図６】図３に示す３本の一升瓶の胴部に上から胴部バンドをセットした状態を示す斜視図、
【図７】図６に示す状態から第２のガイド部材を戻した状態を示す斜視図、
【図８】本発明の他の実施形態を示すもので、本発明の瓶容器の結束装置を示す斜視図である。
【発明を実施するための最良の形態】
【００１６】
本発明を実施するための最良の実施形態を図面を参照して説明する。図１ないし図７は本発明の第１の実施形態を示すもので、図１において、符号１００は瓶容器の結束装置である。
【００１７】
図１に示すように、瓶容器の結束装置（以下、「結束装置」という。）１００は、平面視して矩形をなすベース１０１を備え、ベース１０１には、同ベース１０１を床面上に安定させる脚部１０１Ａ〜１０１Ｃを備えるとともに、図１および図２に示すように、上面の略中央には複数本（図示では３本）の一升瓶１Ａ〜１Ｃを、それらの首部１ａ１〜１ｃ１を上にして載置する瓶容器載置部１０２が設けられている。
【００１８】
なお、ベース１０１等の素材は鉄製、スチール製の他、アルミ製、強化プラスチック製等が可能である。
【００１９】
ベース１０１の上面であって、瓶容器載置部１０２の周囲には、第１の一升瓶１Ａを結束位置に位置決めする第１のガイド部材１０３Ａが設けられている。また、第１のガイド部材１０３Ａと相対して第２の一升瓶１Ｂを第１の一升瓶１Ａに対し引き寄せるための第２のガイド部材１０３Ｂが配置されている。さらに、第３の一升瓶１Ｃを結束位置に位置決めする第３のガイド部材１０３Ｃが設けられている。
【００２０】
それぞれのガイド部材１０３Ａ〜１０３Ｃは、一升瓶１Ａ〜１Ｃのそれぞれの胴部１ａ２〜１ｃ２の外形状および外径寸法に合わせて円弧状に形成されている。２本の一升瓶を結束する場合は第１のガイド部材１０３Ａおよび第２のガイド部材１０３Ｂを用い、３本の一升瓶を結束する場合は上記に合わせて第３のガイド部材１０３Ｃを用いる。
【００２１】
第２のガイド部材１０３Ｂの背面には、第２のガイド部材１０３Ｂを他のガイド部材１０３Ａ、１０３Ｃに向けて内方へ可動させる可動部材１０４が一体に取付けられている。この可動部材１０４の一端は回動軸１０５によってベース１０１の上面に支持されているとともに、回動軸１０５の中心Ｏ回りに回動可能とされている。図２に示す反時計回りに可動部材１０４を可動させると、図２から図３に示すように、第１のガイド板１０３Ａおよび第３のガイド板１０３Ｃに対し第２のガイド板１０３Ｂが接近する。
【００２２】
なお、ガイド板１０３Ａ〜１０３Ｃの素材は、上に述べたベース１０１等の素材と同様の素材の他、プラスチック製も可能である。
【００２３】
ベース１０１の上面で、瓶容器載置部１０２の外側には、可動部材１０４を介して第２のガイド部材１０３Ｂを可動させる作動レバー１０６が、軸受１０７および軸ピン１０８を介して、図１の垂直姿勢から前後に向けて倒伏可能となるように軸支されている。作動レバー１０６の基端部には、軸ピン１０８の近傍に位置する軸ピン１０９を介してコ字形の連結部材（第１の連結部材）１１０が回動可能に軸支されている。
【００２４】
連結部材１１０の天板１１０Ａには孔１１０ａが貫通し、孔１１０ａには第１のフック部材１１１の棒状部１１１Ａが貫通して連結部材１１０の内側空間にスプリング（弾発部材）１１２を介在して配置されている。スプリング１１２は、棒状部１１１Ａに外装されたストッパー１１３によって、天板１１０Ａ内面との間に付勢状態に保持されている。ストッパー１１３は棒状部１１１Ａの先端に取付けられたボルト１１４によって抜け止めされている。
【００２５】
第１のフック部材１１１の円環部１１１Ｂには、第２のフック部材１１５が係合し、このフック部材１１５はボルト１１６によって可動部材１０４の他端に取り付けられている。これにより、作動レバー１０６の把持部１０６Ａを把持して図２の状態から作動レバーを起こし図３のように図の左側へ倒すと、連結部材１１０および第１、第２のフック１１１、１１５を介して、可動部材１０４が図の反時計回りに回動し、これにより、第２のガイド板１０３Ｂを可動させて、第２の一升瓶１Ｂの胴部１ｂ２を第１、第３の一升瓶１Ａ、１Ｃの胴部１ａ２、１ｃ２に引き寄せることができる。なお、第１、第２のフック１１１、１１５は両者で第２の連結部材を構成する。
【００２６】
連結部材１１０の基端部には、可動部材１０４を図３の状態から図２の時計回りに回動させる途中で、作動レバー１０６の側面に図２に示すように係合し、作動レバー１０６を所定の傾き角度に保持する鉤状のストッパー１１７が設けられている。これにより、可動部材１０４は、それ以上の時計回りへの回動が阻止される。
【００２７】
次に以上のように構成された結束装置１００の使用方法および作用について詳述する。
【００２８】
まず、図１に示す結束装置１００に対し、そのベース１００の瓶容器載置部１０２に、図２および図４に示すように、３本の第１ないし第３の一升瓶１Ａ〜１Ｃを、それらの首部１ａ１〜１ｃ１を上にして載置する。
【００２９】
次に、図４に示すように、３本の一升瓶１Ａ〜１Ｃの首部１ａ１〜１ｃ１の鍔部下に１本の環状の首部バンドＢ１を互いにクロスするようにループ状に巻き付ける。この時、３本の一升瓶１Ａ〜１Ｃの首部１ａ１〜１ｃ１は、互いにクロスするようにループ状に巻き付けられた１本の首部バンドＢ１によって、図５（Ａ）に示すように、肩部付近の接触点Ｐを中心として、首部どうしが互いに接近する方向に寄せられる。また、３本の一升瓶１Ａ〜１Ｃの胴部１ａ２〜１ｃ２は、下にいくに従い互いに離れる方向に離間する。
【００３０】
なお、図５においては、説明をわかりやすくするため、２本の第１および第２の一升瓶１Ａ、１Ｂのみ描き、残る第３の一升瓶１Ｃは省略してある。
【００３１】
次に、図４に示す初期状態から、作動レバー１０６を引き起こして、さらに回動させ、図６に示すように反対側へ倒す。作動レバー１０６の操作により、てこの原理で、図２から図３に示すように、第２のガイド板１０３Ｂが第１、第３のガイド板１０３Ａ、１０３Ｃに向けて内方に可動させられ、２本の第１および第３の一升瓶１Ａ、１Ｃの胴部１ａ２、１ｃ２に対し、残る第２の一升瓶１Ｂの胴部１Ｂ２を引き寄せる。
【００３２】
このとき、図５（Ｂ）に示すように、肩部付近の接触点Ｐを中心として、第１の一升瓶１Ａの胴部１ａ２（および第３の一升瓶１Ｃの胴部１ｃ２）の下部に対し、第２の一升瓶１Ｂの胴部１Ｂ２の下部が第２のガイド部材１０３Ｂで引き寄せられると、同じく接触点Ｐを中心として、首部バンドＢ１に、首部１ａ１〜１ｃ１どうしを互いに離間させる外方向に引張力Ｐ１が生じる。
【００３３】
かかる引き寄せ状態で、図６に示すように、３本組用の一本の環状の胴部バンドＢ２を、３本の第１ないし第３の一升瓶１Ａ〜１Ｃの首部１ａ１〜１ｃ１の上方から全体に被せるとともに、同胴部バンドＢ２を胴部１ａ２〜１ｃ２の下部にセットする。
【００３４】
最後に、作動レバー１０６をてこの原理で引き上げて戻し、図７に示すように、可動部材１０４および第２のガイド部材１０３Ｂを元の初期位置に戻す。このとき、図５（Ｃ）に示すように、胴部１ａ２〜１ｃ２の下部の引き寄せ力がなくなるので、接触点Ｐを中心として、胴部１ａ２〜１ｃ２の下部が離間する方向に胴部バンドＢ２を引張り、胴部バンドＢ２が適度な締め付け力で胴部１ａ２〜１ｃ２の下部を結束する。一方、接触点Ｐを中心として、反対側の首部１ａ１〜１ｃ１どうしが少し内方に引き寄せられ、首部１ａ１〜１ｃ１における首部バンドＢ１の引張り力が適度な力に戻され、首部１ａ１〜１ｃ１どうしを結束する。
【００３５】
このようにして、３本の一升瓶１Ａ〜１Ｃについて、その首部１ａ１〜１ｃ１および胴部１ａ２〜１ｃ２を２本のバンドＢ１、Ｂ２で確実に結束することができる。
【００３６】
２本の１升瓶１Ａ、１Ｂのみを結束するには、本実施形態の結束装置１００において、第１のガイド部材１０３Ａの内側と第２のガイド部材１０３Ｂの内側に計２本の一升瓶１Ａ、１Ｂをセットすればよく、後は上記の手順に従い、２本組用の首部バンドおよび胴部バンドを用いて、２本の一升瓶１Ａ、１Ｂを結束することができる。
【００３７】
本実施形態の結束装置１００を用いると、結束作業に熟練していない者でも、ベース１００上に複数本の一升瓶をセットして、容易にかつ確実に２本組または３本組の結束作業を行うことができる。
【００３８】
本実施形態の結束装置１００は、てこの原理を用いて作動レバー１０６による操作を楽に行えるから、成人男性よりも力の弱い女性や高齢者であっても、複数本の一升瓶の結束作業を行える。
【００３９】
本実施形態の結束装置１００は、装置として極めて簡易であり、製造コストを安価にできる。また、構造がシンプルであるから、耐久性に優れ、壊れにくいという利点もある。
【００４０】
本実施形態の結束装置１００は、可動部材１０４を可動させる手段として、てこの原理を用いた手動による作動レバー１０６を用いたが、油圧モータや電動モータ、あるいはソレノイド電磁石を用いて可動部材１０４を可動させてもよい。
【００４１】
本実施形態の結束装置１００は、連結部材１１０と第１のフック部材１１１との間にスプリング１１２を介在させる構造としたから、複数本の一升瓶の胴部どうしを互いに引き寄せる際に、一升瓶の、特に胴部に過大な力が掛かることを防ぐことができる。すなわち、てこの原理で一升瓶の胴部どうしを互いに引き寄せて接触させると一升瓶の胴部に多少なりの圧縮力がかかるが、過大な圧縮力が胴部にかかろうとするとスプリング１１２が縮んで、連結部材１１０から第１のフック部材１１１が伸長して、過大な圧縮力を解消する方向に働く。これにより、ガラス製の場合など、一升瓶の胴部に過大な圧縮力が作用して瓶が割れるという事態を未然に防ぐことができる。
【００４２】
図８は本発明の他の実施形態を示すもので、図中、符号２００は結束装置を示している。
【００４３】
結束装置２００は、ベース２０１が天板２０２および外枠部材２０３Ａ〜２０３Ｄから構成され、外枠部材２０３Ａ、２０３Ｃに第１および第３のガイド部材２０４Ａ、２０４Ｃが円弧面２０４ａ、２０４ｃを内方に向けて取付けられ、外枠部材２０３Ｂ側に可動部材２０５が回動軸２０６を介して取付けられ、この可動部材２０５の内側面に円弧面２０４ｂを内方に向けて可動式の第２のガイド部材２０４Ｂが取付けられている。
【００４４】
残る外枠部材２０３Ｄには作動レバー２０７が設けられ、この作動レバー２０７は、連結部材２０８および第１、第２のフック２０９，２１０を介して可動部材２０５と連結されている。そして、作動レバー２０７の操作により、上記実施形態と同様にして、第１および第３のガイド部材２０４Ａ、２０４Ｃに対し第２のガイド部材２０４Ｂを内方に可動させて、天板２０２上にセットした２本ないし３本の一升瓶の胴部どうしを引き寄せ、首部バンドおよび胴部バンドを用いて結束することができる。
【００４５】
本実施形態の結束装置２００は、外枠部材２０３Ａ〜２０３Ｄおよび可動部材２０５をアルミ製とし、第１ないし第３のガイド部材２０４Ａ〜２０４Ｃは強化プラスチック製とし、装置全体の軽量化を図り、より持ち運びに便利な装置とすることができる。
【００４６】
以上説明してきたように、本発明の結束装置は、結束作業の熟練を必要とすることなく、だれでも、容易にかつ確実に複数本の瓶容器の結束作業を素早く行うことができる。
【産業上の利用可能性】
【００４７】
本発明に係る瓶容器の結束装置は、一升瓶やビール瓶などの瓶容器を複数本結束する装置として、利用可能である。
【符号の説明】
【００４８】
１Ａ  第１の一升瓶
１Ｂ  第２の一升瓶
１Ｃ  第３の一升瓶
１ａ１、１ｂ１、１ｃ１  首部
１ａ２、１ｂ２、１ｃ２  胴部
１００，２００  瓶容器の結束装置
１０１，２０１  ベース
１０１Ａ，１０１Ｂ，１０１Ｃ  脚部
１０２  瓶容器載置部
１０３Ａ, ２０４Ａ  第１のガイド部材
１０３Ｂ，２０４Ｂ  第２のガイド部材
１０３Ｃ，２０４Ｃ  第３のガイド部材
１０４，２０５  可動部材
１０５，２０６  回動軸
１０６，２０７  作動レバー
１０７  軸受
１０８，１０９  軸ピン
１１０，２０８  連結部材
１１０Ａ  天板
１１０ａ  孔
１１１，２０９  第１のフック部材
１１１Ａ  棒状部
１１１Ｂ  円環部
１１２  スプリング
１１３  ストッパー
１１４，１１６  ボルト
１１５，２１０  第２のフック部材
２０３Ａ，２０３Ｂ，２０３Ｃ，２０３Ｄ  枠部材
Ｂ１  首部バンド（第１の紐部材）
Ｂ２  胴部バンド（第２の紐部材）
【図１】
0005414548.tif 000002
【図２】
0005414548.tif 000003
【図３】
0005414548.tif 000004
【図４】
0005414548.tif 000005
【図５】
0005414548.tif 000006
【図６】
0005414548.tif 000007
【図７】
0005414548.tif 000008
【図８】
0005414548.tif 000009